(57)【特許請求の範囲】
【請求項１】
待受け中に本体に配置したキー操作部の操作を無効にする無効機能のオン・オフを可能にした移動体電話機において、
前記本体の所定面に配置された前記キー操作部のうちユーザ指定された所定の指定キーにより無効機能のオン・オフを実行可能に設け、
前記指定キーは、前記ユーザ指定した、単一のキーを所定時間内に連続して複数回押下、または複数の異なるキーを所定時間内に連続して順に押下、或いは複数の異なるキーを同時に少なくとも１回以上押下、いずれかの押下により前記無効機能のオン・オフを可能にし、
前記指定キーは、前記キー操作部からユーザ指定する際、入力時間や入力回数を同時に指定可能に設けたことを特徴とする移動体電話機。
【請求項２】
請求項１に記載の移動体電話機において、
前記無効機能のオン・オフは、前記指定キーによる入力操作とともに、前記本体に配置したキー操作部に設けた特定キーを一定時間押下し続ける入力操作によっても同時に併用して実行できるように設けた特徴とする移動体電話機。
【発明の詳細な説明】
【０００１】
【発明の属する技術分野】
本発明は、移動体電話機に係り、より詳細には本体に配置した特定キーを一定時間押下し続けることで待受け中におけるキー操作の無効機能をオン・オフする移動体電話機に関する。
【０００２】
【従来の技術】
従来、例えば、ＰＨＳ電話機、携帯電話機などの移動体電話機には、待受け中（携帯中）に本体のキー操作部が不必要に押下されないように、キー操作部の操作を無効にする無効機能を備えている。このような従来の移動体電話機は、携帯前に移動体電話機の本体に配置した所定の特定キーを一定時間押下し続けることで無効機能をオン・オフできるように形成していた。図３は、このようなキー操作部の無効機能を備えた従来の移動体電話機を示す図である。また、図４は、図３に示した移動体電話機の動作を示すフロー図である。
【０００３】
図３に示すように、従来の移動体電話機は、移動体電話機の外装を形成する本体２１と、この本体２１に配置されて所定の動作状況を表示するＬＣＤなどの表示部２３と、本体２１の一端に伸縮可能に装着されて無線電波を送受信するアンテナ２４と、表示部２３の近傍にテンキーなどの複数のキーを配置したキー操作部２５とを備えており、このキー操作部２５を構成する複数のキーのうちいずれかをキー操作部２５の無効機能をオン・オフする特定キー２５ａとして設定している。
【０００４】
このように形成された従来の移動体電話機を使用してキー操作部２５の無効機能をオン・オフする場合、図３に示したように、キー操作部２５に設けた特定キー２５ａを一定時間押下し続けることで実行する。この際、本体２１内では、図４に示すように、待受け中のステップＳ２１において、キー操作部２５のいずれかのキーを押下した場合、このキー入力が特定キー２５ａによる一定時間押下（長押し）であるかを監視するステップＳ２２が実行される。そして、ステップＳ２２において特定キー２５ａを一定時間押下し続けた場合、キー操作部２５の無効機能を起動（オン）または解除（オフ）するステップＳ２３が実行される。一方、ステップＳ２２において特定キー２５ａ以外のキーを一定時間押下した場合、そのキー押下に伴う所定の機能が実行される。
このように、従来の移動体電話機は、ユーザが特定キー２５ａを一定時間押下し続ける（長押しする）ことにより、キー操作部２５の無効機能をオン・オフして待受け中（携帯中）にキー操作部２５が不必要に押下されないように防止していた。
【０００５】
【発明が解決しようとする課題】
しかしながら、従来の移動体電話機では、図３に示したように、ユーザがキー操作部２５の無効機能をオン・オフする場合、特定キー２５ａを一定時間押下し続けるため、無効機能を解除する際に多少時間がかかりユーザに不快感を与えてしまうという不具合があった。
また、従来の移動体電話機では、ユーザが無効機能を解除して他の機能を実行する場合、図３に示した特定キー２５ａを一定時間押下し続ける間、表示部２３を目視して無効機能が解除されたかを確認した後で次の動作に移行するため、所定の機能を実行するまでの動作が遅れてしまうという不具合があった。
本発明はこのような課題を解決し、キー操作部の操作を無効にする無効機能のオン・オフをユーザが指定した指定キーにより容易に短時間で実行できる移動体電話機を提供することを目的とする。
【０００６】
【課題を解決するための手段】
本発明は上述の課題を解決するために、待受け中に本体に配置したキー操作部の操作を無効にする無効機能のオン・オフを可能にした移動体電話機であって、本体の所定面に配置されたキー操作部のうちユーザ指定された所定の指定キーにより無効機能のオン・オフを実行可能に設け、指定キーは、ユーザ指定した、単一のキーを所定時間内に連続して複数回押下、または複数の異なるキーを所定時間内に連続して順に押下、或いは複数の異なるキーを同時に少なくとも１回以上押下、いずれかの押下により無効機能のオン・オフを可能にし、この指定キーは、キー操作部からユーザ指定する際、入力時間や入力回数を同時に指定可能に設ける。
【０００７】
ここで、無効機能のオン・オフは、指定キーによる入力操作とともに、本体に配置したキー操作部に設けた特定キーを一定時間押下し続ける入力操作によっても同時に併用して実行できるように設けることが好ましい。
【０００８】
【発明の実施の形態】
次に、添付図面を参照して本発明による移動体電話機の実施の形態を詳細に説明する。図１は、本発明による移動体電話機の実施の形態の内部構造を示すブロック図である。また、図２は、図１に示した移動体電話機の動作を示すフロー図である。
【０００９】
図１に示すように、本発明による移動体電話機の実施の形態は、図３に示した従来技術と同様に、移動体電話機の外装を形成する本体１を備え、この本体１内に配置されて所定の動作状況を表示するＬＣＤなどの表示部３ａと、本体１の一端に伸縮可能に装着されて無線電波を送受信するアンテナ４ａと、表示部３ａの近傍にテンキーなどの複数のキーを配置したキー操作部５とを備えている。また、本体１内には、装置全体を制御する制御部２を備え、この制御部２に前述したキー操作部５を接続して制御している。
【００１０】
ここで、制御部２には、送受信回路部４を介してアンテナ４ａを接続しており、この送受信回路部４を制御してアンテナ４ａで送受信する情報の送受信処理を行っている。すなわち、送受信回路部４は、音声メッセージや文字メッセージまたは制御信号等を高周波により変調してアンテナ４ａから送出したり、このアンテナ４ａで受信した音声メッセージや文字メッセージまたは制御信号等を復調して制御部２に出力する。
【００１１】
また、制御部２は、フラッシュメモリ６を接続しており、このフラッシュメモリ６に記憶されたプログラムに従って、キー操作部５および送受信回路部４からの制御信号を受けて動作し、表示部ドライバ３、音声処理部９、報知手段１０などを制御する。また、制御部２は、ＲＡＭ７に接続され、フラッシュメモリ６に記憶されたプログラムを実行するときにＲＡＭ７をワークエリアとして使用する。このＲＡＭ７には、文字入力時の辞書機能の１つである学習機能データも記憶される。フラッシュメモリ６は、メッセージセンタから受信した文字メッセージや文字パターン（英、数字も含む）／アイコン（図形）などのフォント情報を記憶し、さらに電話帳メモリとしても使用され、複数の電話番号および氏名等を記憶する。
また、表示部３ａは、前述した表示部ドライバ３を介して制御部２に接続している。この表示部ドライバ３は、制御部２からの制御信号に対応する文字パターン（英、数字も含む）やアイコン（図形）パターンをフラッシュメモリ６から読み出し、表示部３ａに表示する。
【００１２】
また、報知手段１０は、制御部２により制御されて所定の動作状態を、バイブレータ１２やリンガ又はスピーカ１４などによりユーザに報知する。ここで、リンガ又はスピーカ１４は、制御部２によって制御され、所定の動作時（例えば、着信時等）に鳴動してそれを知らせる。また、バイブレータ１２は、制御部２の制御下で、所定の動作時に振動によりそれを知らせる。
また、制御部２には、前述した音声処理部９を介してマイク９ａおよびスピーカ９ｂに接続している。この音声処理部９は、制御部２から入力した音声信号を増幅してスピーカ９ａで出力したり、マイク９ｂにより集音した音声信号を増幅して制御部２に出力する処理を行う。
【００１３】
ここで、キー操作部５は、図３に示した従来技術とは異なり、ユーザがテンキーなどの所定のキーのうちいずれかを、キー操作部５の無効機能をオン・オフする指定キー５ａ（図1参照）として自由に指定でき、これをフラッシュメモリ６に記憶させることができる。従って、本体１内では、ユーザが指定した指定キー５ａの入力を１つのコマンドとして扱うことで、キー操作部５の無効機能を容易にオン・オフできるように形成している。この指定キー５ａは、他のキーと区別するために入力回数と入力時間とを定め、この入力回数及び入力時間を各ユーザの個人差に合わせて指定してフラッシュメモリ６に記憶できるように形成している。また、制御部２に接続したタイマー８は、指定キー５ａの押下時に入力時間を検出して制御部２に検出結果を送信する。即ち、指定キー５ａは、例えば、「＊」キーを所定の入力時間内に複数回入力、または複数の異なるキーを順に所定の入力時間内に入力、或いは異なる複数（好ましくは、２つ）のキーを同時に押下して少なくとも１回以上入力などの指定が可能になる。
【００１４】
次に、図２を参照して、本発明による移動体電話機の実施の形態を用いた動作について詳しく説明する。ここで、図２には、指定キー５ａを「＊」キーとし、この「＊」キーを予め設定した入力時間内に所定の入力回数を連続して入力する場合の動作を示している。
図２に示すように、このような本発明による移動体電話機の実施の形態を使用する場合、まず、本体１の電源をオンにした状態にあるステップＳ１において、キー操作部５のいずれかのキーを押下すると、本体１内で現在通常の待受けモードにあるかを確認するステップＳ２が実行される。ここで、ステップＳ２において待受け中ではなく所定の機能を実行している場合、現在実行中のアプリケーション（機能）を継続させるステップＳ３が実行される。また、ステップＳ２において待受け中である場合、押下されたキーが「＊」キーの入力であるかを確認するステップＳ４に移行する。この際、ステップＳ４において押下されたキーが「＊」キーでない場合、ステップＳ１の電源をオンにした状態に戻り、他のキー入力を待つ待機中の状態に移行する。また、ステップＳ４において押下されたキーが「＊」キーである場合、図１に示した制御部２の制御によりタイマー８を起動させて新たなキーの入力があるまで入力時間を検出するステップＳ５が実行される。
【００１５】
そして、ステップＳ５によるタイマー８起動中に、再び新たなキー入力があった場合、ステップＳ４と同様に、この入力が「＊」キーの入力であるかを確認するステップＳ６が実行される。このステップＳ６において押下されたキーが「＊」キーでない場合、現在起動中のタイマー８を停止させて動作を中断する。また、ステップＳ６において押下されたキーが「＊」キーである場合、ステップＳ５でタイマー８が検出していた検出時間が、予め指定（図１に示したフラッシュメモリ６に記憶）した入力時間を経過しているかを確認するステップＳ８が実行される。この際、ステップＳ８において入力時間を経過している場合、ステップＳ１の電源をオンにした状態に戻り、他のキー入力を待つ待機中の状態に移行する。また、ステップＳ８において入力時間が経過していない場合、「＊」キーの入力が予め指定（フラッシュメモリ６に記憶）した入力回数に達しているかを確認するステップＳ９に移行する。そして、ステップＳ９において入力回数に達していない場合、ステップＳ５のタイマー８起動中の状態に戻り、入力回数に達するまでステップＳ６〜Ｓ９の動作を繰り返し実行する。一方、ステップＳ９において所定の入力回数に達している場合、キー操作部５の無効機能を起動（オン）または解除（オフ）するステップＳ１０が実行される。
【００１６】
このように本実施の形態では、図２に示したステップＳ１〜Ｓ４により通常の待受けモード中に「＊」キーの入力があったかを監視し、ステップＳ５〜Ｓ９により指定した入力時間内に「＊」キーが所定の入力回数連続して入力されたかを監視するとともに、ステップＳ１０によりステップＳ１〜Ｓ９の条件を満たした場合にキー操作部５の無効機能をオン・オフする構造を備えている。従って、ユーザは、自分が指定した好みの指定キー５ａ（図２では「＊」キー）を時間内に数回押下することで、キー操作部５の操作を無効にする無効機能を短時間で容易にオン・オフすることが可能になる。
【００１７】
以上、本発明による移動体電話機の実施の形態を詳細に説明したが、本発明は前述した実施の形態に限定されるものではなく、その要旨を逸脱しない範囲で変更可能である。
例えば、キー操作部の無効機能をユーザ指定した指定キーによりオン・オフする実施の形態を説明したが、これに限定されるものではなく、従来技術のような一定時間押下することで無効機能をオン・オフする特定キーを併用して使用可能に設けても良い。
【００１８】
【発明の効果】
このように本発明による移動体電話機によれば、ユーザが指定した好みの指定キーを予め設定した入力時間内に所定の入力回数押下することで無効機能のオン・オフを実行するため、操作に慣れることで短時間で実行でき、体感的に不快感がなく操作性を向上することができるとともに、各ユーザの個人差に合わせて柔軟に対応することができる。
また、本発明による移動体電話機によれば、前述した指定キーの押下により直ちにキー操作部の無効機能がオン・オフされるため、表示部を一定時間目視して指定キーの動作状況を確認する必要がなく、指定キーの押下後、すぐに次の動作に移行でき、操作時間の短縮を実現できる。
【図面の簡単な説明】
【図１】本発明による移動体電話機の実施の形態の内部構造を示すブロック図。
【図２】図１に示した移動体電話機の動作を示すフロー図。
【図３】従来の移動体電話機を示す図。
【図４】図３に示した移動体電話機の動作を示すフロー図。
【符号の説明】
１    本体
２    制御部
３    表示部ドライバ
３ａ  表示部
４    送受信回路部
４ａ  アンテナ
５    キー操作部
５ａ  指定キー
６    フラッシュメモリ
７    ＲＡＭ
８    タイマー
９    音声処理部
９ａ  スピーカ
９ｂ  マイク
１０    報知手段
１２    バイブレータ
１４    リンガ又はスピーカ
【図１】
0004351398.tif 000002
【図２】
0004351398.tif 000003
【図３】
0004351398.tif 000004
【図４】
0004351398.tif 000005